(57)【要約】  本発明は、スクリーン１４とスクリーンを支持するような枠構造１２とを備えている映写スクリーン機構１０を開示する。映写スクリーン機構１２は、複数の枠部材４０、４４と、枠部材４０、４４を互いに結合するヒンジ５４と、枠部材４０、４４の相対的な動きを阻止する係止具５６とを備えている。
2007528266.tif 000002
【特許請求の範囲】
【請求項１】
スクリーンと、
前記スクリーンを支持している枠構造と
を含んでいる表示装置であって、
前記枠構造が、
複数の枠部材と、
２つの前記枠部材を連結するヒンジと、
前記ヒンジによって連結されている前記枠部材の動きを阻止するように設けられている係止具とを備え、
前記ヒンジによって連結されている前記枠部材が組になって縦軸と横断面とを画定し、
前記係止具の少なくとも一部が前記横断面内に配置される
表示装置。
【請求項２】
前記係止具が、前記枠部材の相対的な動きを可能にする、相対的に動く第１および第２の係止部材を備え、
前記第１の係止部材の一部が前記横断面内に配置され、前記第１の係止部材の一部が前記横断面の外に配置される
請求項１に記載の表示装置。
【請求項３】
前記第２の係止部材が完全に前記横断面内に配置されている請求項２に記載の表示装置。
【請求項４】
前記ヒンジによって連結されている前記枠部材が管状であり、これらが組になって通路を画定し、前記係止具の大部分が前記通路内に配置される請求項１に記載の表示装置。
【請求項５】
前記ヒンジによって連結されている前記枠部材の少なくとも１つが管状で、外壁と、２つの端部と，前記２つの端部間に配置された開口とを有し、前記第１および前記第２の係止部材の少なくとも１つが、前記開口を通って伝達され前記係止具に加えられる力によって他方の前記係止部材に対して移動可能である請求項１に記載の表示装置。
【請求項６】
前記ヒンジが複数のヒンジ板と複数の留め具とを備え、前記留め具の少なくとも１つが、少なくとも１つの前記ヒンジ板の少なくとも一部と、前記第１および前記第２の係止部材の少なくとも１つと，少なくとも１つの前記枠部材の一部とを通って延在している請求項１に記載の表示装置。
【請求項７】
前記第１および前記第２の係止部材の少なくとも１つが、前記ヒンジにおける前記枠部材の動きを阻止する係止位置と、前記ヒンジにおける前記枠部材の動きを可能にする解除位置との間で枢軸周りに枢動し、前記枢軸が前記ヒンジによって連結されている前記枠部材の少なくとも１つを通って延在している請求項１に記載の表示装置。
【請求項８】
前記ヒンジによって連結されている前記枠部材が管状であり、外壁および２つの端部を有し、前記第１の係止部材が前記ヒンジによって連結されている前記各枠部材の端部を通って延在している請求項１に記載の表示装置。
【請求項９】
前記第１の係止部材が係止凸部を有し、前記第２の係止部材が、前記第１の係止部材の前記係止凸部を受容することにより前記ヒンジによって連結されている前記枠部材の相対的な動きを阻止する、係止凹部を備え、前記ヒンジが第１のヒンジ板と前記第１のヒンジ板に枢結されている第２のヒンジ板を有し、少なくとも前記第１のヒンジ板が前記ヒンジによって連結されている各枠部材に部分的に重なり、さらに前記スクリーンがほぼ無地である請求項１に記載の表示装置。
【請求項１０】
スクリーンと、
前記スクリーンを支持している枠構造と
を含んでいる表示装置であって、
前記枠構造が、
複数の枠部材と、
２つの前記枠部材を連結するヒンジと、
前記ヒンジによって連結されている前記枠部材の相対的な動きを阻止するように設けられている係止具とを備え、
前記係止具が第１および第２の相互作用部材を含み、前記第１の相互作用部材が係止凸部を有し、また前記第２の相互作用部材が、前記第１の相互作用部材の前記係止凸部を受容する係止凹部を有し、前記係止凸部が前記係止凹部内に配置されると前記枠部材の相対的な動きが阻止され、前記係止凸部が前記係止凹部から離れると前記枠部材の相対的な動きが可能となる
表示装置。
【請求項１１】
前記係止凸部がほぼ平らな面を有し、前記係止凹部は、前記係止凸部が前記係止凹部内に配置されると前記係止凸部の前記ほぼ平らな面に当接するほぼ平らな面を有する請求項１０に記載の表示装置。
【請求項１２】
前記第１および第２の相互作用部材の少なくとも１つが枢軸周りに枢動し、前記係止凸部および前記係止凹部の前記ほぼ平らな面が前記枢軸にほぼ接する請求項１１に記載の表示装置。
【請求項１３】
前記係止凸部が楔形であり、前記係止凹部が前記係止凸部の楔形に適合する請求項１０に記載の表示装置。
【請求項１４】
前記係止凸部がほぼ平らな面を一対有し、前記係止凹部が、前記係止凸部が前記係止凹部内に配置されると前記係止凸部の前記ほぼ平らな面に当接するほぼ平らな面を一対有する請求項１０に記載の表示装置。
【請求項１５】
前記第２の相互作用部材がカムを有し、前記係止凸部が前記カムの上を乗り越えてから前記枠部材の相対的な動きを阻止すべく前記係止凹部内に配置される請求項１０に記載の表示装置。
【請求項１６】
前記枠部材が管状であり、これらが組になって通路を画定し、前記係止凸部の大部分が前記通路内に配置される請求項１０に記載の表示装置。
【請求項１７】
スクリーンと、
前記スクリーンを支持している枠構造と
を含んでいる表示装置であって、
前記枠構造が、
少なくとも第１および第２の枠部材と、
前記第１および第２の枠部材を連結するヒンジと、
前記第１および第２の枠部材の相対的な動きを阻止するように設けられている係止具とを備え、
前記ヒンジが第１のヒンジ部材と、前記第１のヒンジ部材に枢結している第２の枠部材と、第３のヒンジ部材と、前記第３のヒンジ部材に枢結している第４のヒンジ部材とを有し、
前記第１および前記第３のヒンジ部材が前記第１の枠部材に固接され、前記第２および前記第４のヒンジ部材が前記第２の枠部材に固接され、前記第２のヒンジ部材が前記第１のヒンジ部材と前記第２の枠部材との間に位置し、前記第３のヒンジ部材が前記第４のヒンジ部材と前記第２の枠部材との間に位置している
表示装置。
【請求項１８】
前記第２のヒンジ部材が前記第１のヒンジ部材と前記第１および前記第２の枠部材との間に挟まれている請求項１７に記載の表示装置。
【請求項１９】
前記第１および第４の枠部材と前記第１および第２の枠部材とが組になって、前記第２および第３ヒンジ部材を受容する間隙を画定すべく、前記第１および第４枠部材が突出部を備えるように型打ちされている請求項１８に記載の表示装置。
【請求項２０】
前記第１、第２、第３および第４のヒンジ部材が枢軸周りに枢動し、前記第１および第２枠部材が半径方向最外壁を有し、前記第１、第２、第３および第４のヒンジ部材が、前記第１および第２枠部材の半径方向最外壁と前記枢軸との間の半径方向に配置されている、半径方向最外部を有する請求項１７に記載の表示装置。
【発明の詳細な説明】
【技術分野】
【０００１】
本発明は、映写スクリーンに関し、特に、張設した映写スクリーンに関する。
【発明の開示】
【課題を解決するための手段】
【０００２】
本発明の一態様によれば、スクリーンとスクリーンを支持する枠構造とを有する表示装置が提供される。枠構造は、複数の枠部材、複数の枠部材中の２つの枠部材を連結するヒンジ、および、ヒンジで連結した枠部材の動きを阻むように設けた係止具を備えている。枠部材はヒンジで連結して縦軸と横の輪郭を画定するように組まれる。係止具の少なくとも一部がこの横断面内に配置されている。
【０００３】
本発明の別の態様によれば、スクリーンとスクリーンを支持する枠構造とを有する表示装置が提供される。枠構造は、複数の枠部材、複数の枠部材中の２つの枠部材を連結するヒンジ、および、枠部材の動きを阻むように配けられている係止具を備えている。係止具は、第１および第２の相互作用部材を含む。第１の相互作用部材は、鍵を有する。第２の相互作用部材は、第１の相互作用部材の鍵を受容する鍵受容部を有し、鍵が鍵受容部内に配置されると枠部材の相対的な動きを阻止し、鍵が鍵受容部から離れると枠部材の相対的な動きが可能となる。
【０００４】
本発明のさらに別の態様によれば、スクリーンとスクリーンを支持する枠構造とを有する表示装置が提供される。枠構造は、少なくとも第１および第２の枠部材、第１および第２の枠部材を連結するヒンジ、および、第１および第２の枠部材の動きを阻むように配けられている係止具を備えている。ヒンジは、第１のヒンジ部材、第１のヒンジ部材に枢結されている第２のヒンジ部材、第３のヒンジ部材、および、第３のヒンジ部材に枢結されている第４のヒンジ部材とを含む。第１および第３のヒンジ部材は、第１の枠部材に固接している。第２および第４のヒンジ部材は、第２の枠部材に固接している。第２のヒンジ部材は、第１のヒンジ部材と第２の枠部材との間に配けられている。第３のヒンジ部材は、第４のヒンジ部材と第２の枠部材との間に配けられている。
【０００５】
本発明のさらなる特徴は、本発明の最良の実施態様として現在認識されている好適な実施例の詳細な説明を勘案することにより当業者に明らかになるであろう。
【発明を実施するための最良の形態】
【０００６】
本開示により、映写機（図示せず）によって映し出される映像を表示するために設けられた表示装置または映写スクリーン機構１０を提供する。一般に、映写スクリーン機構１０は建物の床または他の構造物に支持されている。映写スクリーン機構１０は、前面映写と背面映写のどちらにも使用できる。用途によっては、映写スクリーン機構１０の後ろにスピーカ（図示せず）を配置して、音が映写スクリーン機構１０を通して伝わるようにしている。
【０００７】
図２に示す通り、映写スクリーン機構１０は、枠構造１２および映写スクリーン１４を含んでいる。枠構造１２は矩形スクリーン枠１６と、高くした位置で枠１６を支持する一対の支持脚部１８とを含んでいる。映写スクリーン１４は、スクリーン生地２０およびスクリーン生地２０を枠１６に結合する複数の結合部材または留め金２２を含んでいる。映写スクリーン１４を張設した状態で枠１６に結合することにより、ほぼ平らな表示面（図示せず）を提供する。
【０００８】
一般に、スクリーン生地２０は映写機からの映像を映す、または表示するために無地である。一の実施例によれば、映写スクリーン機構１０のスクリーン生地２０は、広告または他の情報を表示するためにあるいは美観のために、印刷またはその他の画像が施される。スクリーン生地２０は、ビニル製であることが好ましい。別の実施例によれば、例えば、特に本願明細書に援用する米国仮特許出願第６０／５４６４１０号明細書または特に本願明細書に援用する米国特許出願第１０／３２７４２１号明細書に開示されているような他の布地、または当業者に知られているその他の布地が備えられている。さらに別の実施例では、スクリーン生地をスクリーン枠に結合するための異なる結合手段を備えている。別の実施例によれば、例えば、特に本願明細書に援用する米国特許出願第１０／３２７４２１号明細書に開示されている結合方式は、面ファスナー片、粘着テープ、留め具およびその他周知の結合手段および方法を備えている。
【０００９】
図２に示すように、枠１６は、上下左右の組立て部品２４、２６、２８、３０から成り、これらが会合して第１、第２、第３および第４の角部３２、３４、３６、３８を画定する。収納および／または運搬を容易にするために、組立て部品２４、２６、２８、３０は、それぞれ折り畳み、あるいは「分解」することができ、図１０に示すように、より小型化できる。
【００１０】
上下組立て部品２４、２６は、それぞれ、右、左および中央の管状枠部材４０、４２、４４から成る。左右の組立て部品２８、３０は、それぞれ、上下の管状枠部材４６、４８から成る。図４に示すように、押出アルミニウム製の各枠部材４０、４２、４４、４６、４８はそれぞれ、４つのほぼ平らな側壁５０および４つの丸まった角を有し、これらを組み合わせることにより各枠部材４０、４２、４４、４６、４８の外壁および２つの端部を画定する。
【００１１】
また、上下左右の組立て部品２４、２６、２８、３０は、右、左の枠部材４０、４２と中央枠部材４４との間に、また上下枠部材４６、４８の間にヒンジ５４を備えている。ヒンジ５４は、各枠部材４０、４２、４４、４６、４８間の枢動を可能にする。
【００１２】
また、上下左右の組立て部品２４、２６、２８、３０は、右、左の枠部材４０、４２と中央枠部材４４との間に、また上下枠部材４６、４８の間に係止具５６を備えている。係止具５６は、各枠部材４０、４２、４４、４６、４８で画定される通路に配置されており、図３に枠部材４０、４４について例示するように、映写スクリーン機構１０の組立ておよび使用時にこれら各枠部材４０、４２、４４、４６、４８の枢動を阻止する。映写スクリーン機構１０を収納または運搬する際には、係止具５６を解除状態にして、図４に示すように、枠部材４０、４４をヒンジ５４周りに枢動可能にする。
【００１３】
図９に示すように、ヒンジ５４は、各枠部材４０、４２、４４、４６、４８に固接した２つの内側ヒンジ板または部材５８、各枠部材４０、４２、４４、４６、４８に固接した２つの外側ヒンジ板または部材６０、複数のリベット６１およびスペーサまたはブッシュ６２を備えている。内側および外側ヒンジ板５８、６０は、リベット６１を用いて枠部材４０、４４に結合している。組立てると、両外側ヒンジ板６０はリベット６１を用いて両内側ヒンジ板５８の外側で互いに結合されて、内側ヒンジ板５８間の一つのリベット６１周りにブッシュ６２が設けられた状態となる。図３に示すように、ブッシュ６２の外径または幅は、直線状にした各枠部材４０、４２、４４、４６、４８の互いに対向する端面間距離よりも広い。枠部材４０、４４を例として図３に示すように、各枠部材４０、４２、４４、４６、４８を直線状にすると、各ヒンジ板５８、６０は各枠部材４０、４２、４４、４６、４８のうちの２つの部材と部分的に重なる。さらに、枠部材４０、４４を例として図３に示すように、各枠部材４０、４２、４４、４６、４８は、両内側ヒンジ板５８と両外側ヒンジ板６０との間に挟まれている。
【００１４】
係止具５６は、第１および第２の係止部材または相互作用部材６４、６６、付勢手段またはばね６８、一対の焼結した青銅ブッシュ７０およびリベットまたは枢動部材７２を備えている。第１の相互作用部材６４は、枠部材４０の内側に配けられ、ブッシュ７０のリベット７２で画定されている枢軸周りに枢動する。第２の相互作用部材６６は、枠部材４４内に配けられ、内側および外側ヒンジ板５８、６０を枠部材４４に結合するリベット６１でその回転が止められている。第１および第２の相互作用部材６４、６６は押出アルミニウム製であることが好ましい。本開示の別の実施例によれば、プラスチック材料、他の金属および当業者に知られているその他の材料等を使用している。
【００１５】
図５に示すように、第１の相互作用部材６４は第２の相互作用部材６６に係合することにより、枠部材４０、４４が互いに枢動することを阻止する。ばね６８は第１の相互作用部材６４を第２の相互作用部材６６に向けて付勢してこの係合状態を維持する。係止状態の枠部材４０、４４の各端部が、枠部材４０、４４間距離を最小とするように当接することが好ましい。しかし、機械加工および組立ての精度により、係止状態の枠部材４０、４４の各端部間にわずかな間隙ができる場合もある。このような状態のとき、図５のように、第１および第２の相互作用部材６４、６６は各枠部材４０、４４の端部を通って延在し、各相互作用部材６４、６６の一部が相対する各枠部材４０、４４内位置に止まる。
【００１６】
係止状態のとき、枠部材４０、４４は組になって縦軸を画定すると共に、比較的四角い横方向の輪郭を画定する。スクリーン１４との干渉を防ぐべく係止具５６が枠部材４０、４４の外部に露出する抑えるために、係止具５６の大部分が前記輪郭内に配置されることが好ましい。
【００１７】
図６に示すように、第１の相互作用部材６４は、胴部７４、係止部７６、ボタンあるいは解除部７８を備えている。胴部７４は、ばね６８の一部を受容すべく第１の溝または切欠き部７８を、ピン部材７２およびブッシュ７０のそれぞれ一部を受容すべく第２の溝または切欠き部８０を備えている。
【００１８】
第２の相互作用部材６６は、胴部８２および係止部８４を備えている。胴部８２は、各リベット６１の一部を受容すべく一対の溝８６、８８および一対の拡張部９０を備えている。拡張部９０は、平らな側壁５０の内法寸法よりわずかに小さいか等しい幅を有することによって、拡張部９０が丸まった角部５２の内側で横方向に摺動することを阻止する。これにより、組み立て時に、第２の相互作用部材６６が枠部材４４内中央に配置されることが容易になる。
【００１９】
第１および第２の相互作用部材６４、６６の係止部７６、８４は、係止具５６の係止および解除を容易にするような形状となっている。第２の相互作用部材６６の係止受容部あるいは係止部８４は、第１、第２、第３および第４の面９２、９４、９６、９８を有する。図７に示すように、第１、第２および第３の面９２、９４、９６は比較的平らであり、これらを組み合わせて、第１の相互作用部材６４の係止凸部１００を受容する溝または係止凹部９９を画定する。第１および第２の面９２、９４は９５°の角度を画定するように組になる。図５に示すように、係止具５６が係止状態にあるとき、第１の面９２はリベット６１から枢動部材７２までを結ぶ線（図示せず）とも組になって９５°の角度を画定する。第３の面９６は、枢動部材７２によって画定されている枢軸に事実上接している。
【００２０】
楔形の係止凸部１００は、第１、第２および第３の比較的平らな面１０２、１０４、１０６を、第１の相互作用部材６４の胴部７４は曲面１０８を有する。第１および第２の面１０２、１０４は、９５°の角度を画定するように組になる。図５に示すように、第１の面１０２は、係止具５６が係止状態にあるとき、リベット６１から枢動部材７２までを結ぶ線（図示せず）とも組になって９５°の角度を画定する。第３の面１０６は、枢動部材７２によって画定されている枢軸に事実上接している。
【００２１】
第１および第２の相互作用部材６４、６６が係止状態にあるとき、図５に示すように、第１の相互作用部材６４の第１の面１０２は第２の相互作用部材６６の第１の面９２に当接する。この当接により枠部材４４が、これ以上枠部材４０に向けて枢動することを防ぎ、両枠部材４０、４４間に間隙が存在したとしてもそれが僅かな「遊び」とする。同様に、第１の相互作用部材６４の第３の面１０６は第２の相互作用部材６６の第３の面９６に当接することにより、両枠部材４０、４４間の枢動を、つまり枠部材４４が枢動して枠部材４０から離れることを阻止する。
【００２２】
使用者は、枠部材４０に形成されている開口１１０を通る、第１の相互作用部材６４の解除部７８を押圧して係止具５６を解除できる。解除部７８は、比較的まっすぐな横の輪郭から突出する第１の突出部または突出片１１２と、部分的に比較的まっすぐな横の輪郭の中と外にある第２の突出部１１４を備えている。図４に示すように、解除部７８と第１の突出部１１２の両上面１１６は、使用者の親指または他の指との間で摩擦力が生じるように複数の隆起を有することが好ましい。使用者の親指または他の指から第１の突出部１１２に与えられた力は開口１１０を通って伝達される。
【００２３】
図６および図７に示すように、第１の突出部１１２は第１の相互作用部材６４の矢印１１８で示す方向への回転を制限する。同様に、第２の突出部１１４は、図５に示すように、第１の相互作用部材６４の矢印１２０で示す方向への回転を制限する。第２の突出部１１４は、物体が開口１１０を通って枠部材４０の内部１１６へ入ることを阻む。
【００２４】
第１の相互作用部材６４の係止凸部１００および第２の相互作用部材６６の係止凹部９９は、それぞれ９５°の角度を有するために若干楔形となり、係止凸部１００が９０°の角度を有していた場合と比べて第２の相互作用部材６６にひっかかってしまう可能性が低くなる。本開示の別の実施例によれば、その他の角度は、例えば、９０°、９２．５°、９７．５°および１００°である。第１の相互作用部材６４の曲面１０８は、第２の相互作用部材６６の曲面９８に空間を提供する。
【００２５】
第１の相互作用部材６４が、図６に示す位置に移動すると、第１および第２の枠部材４０、４４はこれらの作る角度が１８０°となるまで相対的に枢動可能となり、これにより、図１０に示すように第１および第２の枠部材４０、４４は互いに隣接した状態となる。
【００２６】
枠部材４０、４４は、ヒンジ５４周りを枢動して開いた状態に戻すことができる。係止凸部１００の第２の面１０４は、図８に示すように、第２の相互作用部材６６の第４の曲面またはカム９８の上を乗り越えて、図５に示すように係止凸部１００が係止凹部９９に落ち込む。
【００２７】
図１１に示すように、ヒンジ１２２は枠１６の各角部３２、３４、３６、３８に設けられている。ヒンジ１２２は、一対のヒンジ板１２４、両ヒンジ板１２４を例えば枠部材４８に結合する第１の一対のリベット１２６、および、両ヒンジ板１２４を例えば枠部材４０に枢結する枢動部材１３０を備えている。
【００２８】
各枠部材４０、４４、４６、４８の回転を阻止する係止具１３２が各角部３２、３４、３６、３８に設けられている。図１１に枠部材４０、４８について例示するように、各係止具１３２は、第１および第２の係止部材１３４、１３６、係止部材１３４、１３６を互いに枢結する枢動部材１３５、および各枠部材４０、４４、４６、４８に各係止部材１３４、１３６を枢結する一対の枢動部材１３８を備えている。第１の係止部材１３４は、第２の係止部材１３６の一部を受容すべくU字型となっている。各枠部材４０、４８は、枠１６が折り畳まれたときに、係止部材１３４、１３６をその中に受入れる細長い穴１３７を備えている。係止部材１３４、１３６をヒンジ１２２に向けて押圧または引くことによって係止具１３２を解除できる。
【００２９】
図２に示すように、各脚部１８は支柱１３９、基礎１４０および斜材１４２を備えている。支柱１３９は、枠部材４０、４２、４４、４６、４８に似た３本の管状枠部材１４３、１４４、１４６および各枠部材１４３、１４４、１４６間の係止具５６から成る。基礎１４０は、枠部材４０、４２、４４、４６、４８に似た２本の管状枠部材１４８、１５０から成る。支柱１３９と枠部材１４８、１５０間の枢動および固定が可能となるように、ヒンジ１２２および係止具１３２が支柱１３９と枠部材１４８との間に設けられている。図２に示すように、１つの係止具１３２は、枠部材１４６、１４８の内側に設けられ、もう一つのロック１３２は枠部材１４６、１５０の外側に設けられている。
【００３０】
斜材１４２は、枠部材４０、４２、４４、４６、４８に似た２本の管状枠部材１５２、１５４、枠部材１５２、１５４間に設けられた係止具５４、枠部材１５２と基礎枠部材１４８との間のヒンジ１５６と枠部材１５４に枢結する結合部材１５８を備えている。部材１５８を枠部材１４４に取外し可能に結合するねじ式の摘み１６０が備えられている。枠部材１５４は、別々の二部材に分かれ、枠部材１５４長を伸縮可能にする入れ子式部材（図示せず）を有する。締め付けることにより枠部材１５４の伸縮を阻止し、緩めることにより枠部材１５４の伸縮を許す、別の摘み１６３が設けられている。
【００３１】
枠１６の枠部材４６、４８には、摘み１６４を受容する複数のねじ切り孔１６２が設けられている。枠１６の高さを調整する際には、摘み１６４を緩め、下または上に隣接した一組の孔１６２に位置を合わせてからこれらの孔１６２内へねじ込む。摘み１６４は、必要に応じて、脚部１８から外して他に備えられている孔１６５に再配置できる。
【００３２】
映写スクリーン機構１０を収納する際には、摘み１６４を緩めて枠１６を脚部１８から切り離し、スクリーン１４を枠１６から外し、枠１６の係止具５４および係止具１３２を解除して枠部材４０、４２、４４、４６、４８を図１０に示すような状態に９０°または１８０°折り畳み、脚部１８の摘み１６０を緩め、脚部１８の係止具５４および係止具１３２を解除して枠部材１４２、１４４、１４６、１４８、１５０、１５２、１５４を９０°または１８０°に折り畳む。映写スクリーン機構１０を組立てる際には、上記の手順を逆に辿る。
【００３３】
映写スクリーン機構１０の組立て、据え付けおよび／または使用に関する取扱説明書が映写スクリーン機構１０に備えられるか、若しくは、人間または機械が映写スクリーン機構１０を組立て、据え付けおよび／または使用できるように取扱い方法が伝達されることが好ましい。このような取扱説明書には、映写スクリーン機構１０のいずれかまたはすべての部分の説明および／または映写スクリーン機構１０または映写スクリーン機構１０の部品の上記組立て、据え付けおよび／または使用に関する説明を含むこともできる。取扱説明書は別の紙におよび／または映写スクリーン機構１０の販売または輸送用の箱に備えてもよい。これらの取扱説明書は、インターネットあるいは他の通信システムを通じて提供することもできる。さらに、取扱説明書は文字、画像、音声、映像または当業者に知られている他の取扱説明伝達媒体または方法を用いて具体化してもよい。
【００３４】
好適な実施例を参照して本発明を詳細に説明したが、添付の請求項に説明および定義するように本発明の範囲および精神における変更および改良が可能である。
【図面の簡単な説明】
【００３５】
【図１】一対の支持脚部を有する枠構造と、脚部に支持されている長方形スクリーン枠と、スクリーン枠に結合した映写スクリーンとを含む映写スクリーン機構の背面斜視図である。
【図２】枠構造および、スクリーン生地とスクリーン生地をスクリーン枠に結合するように構成されている複数の留め金を含む映写スクリーン機構の背面斜視分解図である。
【図３】一対の枠部材と、枠部材を互いに枢結しているヒンジと、枠部材の枢動を阻止している係止状態の係止具を含むスクリーン枠を部分的に切り取って示す斜視図である。
【図４】枠部材がヒンジ周りを枢動可能に解除状態にした係止具を含む、図３と同様の、スクリーン枠を部分的に切り取って示す斜視図である。
【図５】枠部材のヒンジ周りの枢動を相互作用によって阻止する、第１および第２の相互作用部材を含む係止具の図３の線５−５に沿った断面図である。
【図６】使用者が、一方の相互作用部材に枢動ピン周りを回転させて他方の相互作用部材から離脱させ、枠部材を互いに枢動可能にした状態の図５と同様の係止具の断面図である。
【図７】枠部材の係止状態を解除して、枠部材が互いに枢動可能にした状態の図５と同様の係止具の断面図である。
【図８】枠部材が図５に示す状態となるように枢動する際に、一方の相互作用部材が他方の相互作用部材の上を摺動している状態の図５と同様の係止具の断面図である。
【図９】図３に示す枠部材および係止具の分解斜視図である。
【図１０】収納または運搬用に引き込んだまたは折り畳んだ状態の図１の長方形スクリーン枠を部分的に切り取って示す斜視図である。
【図１１】一対の枠部材と、枠部材を互いに枢結しているヒンジと、枠部材の相対的な枢動を阻止している係止状態の係止具を含むスクリーン枠の角部を部分的に切り取って示す斜視図である。
【符号の説明】
【００３６】
１０  映写スクリーン機構
１２  枠構造
１４  映写スクリーン
１６  枠
１８  支持脚部
２０  スクリーン生地
２２  留め金
２４、２６、２８、３０  組立て部品
３２、３４、３６、３８、５２  角部
４０、４２、４４、４６、４８  （管状）枠部材
５０  側壁
５４  ヒンジ
５６  係止具
５８、６０  内側、外側ヒンジ板
６１  リベット
６２、７０  ブッシュ
６４、６６  第１、第２の相互作用部材
６８  ばね
７２  枢動部材（リベット）
７４、８２  胴部
７６、８４  係止部
７８  解除部
８０  切欠き部
８６、８８  溝
９０  拡張部
９２、９４、９６、９８  係止部の第１、第２、第３および第４の面
９９  係止凹部
１００  係止凸部
１０２、１０４、１０６  係止凸部の第１、第２、第３の面
１０８  相互作用部材の曲面
１１０  開口
１１２、１１４  突出部
１１６  突出部の上面
１２２  ヒンジ
１２４  ヒンジ板
１２６  リベット
１３０  枢動部材
１３２  係止具
１３４、１３６係止部材
１３９  支柱
１４０  基礎
１４２、１４３、１４４、１４６、１４８、１５０、１５２、１５４  枠部材
１５６  ヒンジ
１５８  結合部材
１６０、１６４  摘み
１６２  ねじ切り孔
１６５  孔
【図１】
2007528266.tif 000003
【図２】
2007528266.tif 000004
【図３】
2007528266.tif 000005
【図４】
2007528266.tif 000006
【図５】
2007528266.tif 000007
【図６】
2007528266.tif 000008
【図７】
2007528266.tif 000009
【図８】
2007528266.tif 000010
【図９】
2007528266.tif 000011
【図１０】
2007528266.tif 000012
【図１１】
2007528266.tif 000013
【国際調査報告】
2007528266.tif 000014